(57)【要約】      （修正有）【課題】耳穴を傷つけることが少なく、優しく清掃できるとともに、手軽に耳穴内面を満遍なく掃除をすることができる耳かき具を提供する。【解決手段】指で持つ摘み軸部２と、摘み軸部２から立設された棒部３と棒部３の先端に設けられたブラシ部４を含んで構成された耳かき具１であり、ブラシ部４は放射形に広がる繊維材６をその周囲に備えた芯線７を加工して形成してあり、ブラシ部４の先端側には芯線７を略円形に構成した輪部１０を有していることを特徴とする。【選択図】図１
0003165130.tif 000002
【実用新案登録請求の範囲】
【請求項１】
指で持つ摘み軸部と、前記摘み軸部から立設された棒部と、前記棒部の先端に設けられたブラシ部を含んで構成された耳かき具であり、
放射形に広がる繊維材をその周囲に備えた芯線を加工して前記ブラシ部を形成してあり、前記ブラシ部の先端側には前記芯線を略円形に構成した輪部を有していることを特徴とする耳かき具。
【請求項２】
請求項１に記載の耳かき具において、前記芯線を略円形に旋回させることによって前記輪部を形成した耳かき具。
【請求項３】
請求項２に記載の耳かき具において、耳穴内面を掻き取りやすいように前記ブラシ部又は前記棒部の部分が、耳かき具の長手方向に対して角度を成して曲がっている耳かき具。
【請求項４】
請求項２に記載の耳かき具において、前記摘み軸部と係合するキャップ部を設けるとともに、前記キャップ部の内部に前記ブラシ部及び前記棒部を収容するようにした耳かき具。
【請求項５】
請求項４に記載の耳かき具において、前記キャップ部を設けた耳かき具の全体形状を、睫毛を化粧するマスカラ用具に近似した形状にした耳かき具。
【請求項６】
請求項４に記載の耳かき具において、外観した場合に棒部及びブラシ部が透けて見えるような透明部材又は半透明部材で前記キャップ部を構成した耳かき具。
【考案の詳細な説明】
【技術分野】
【０００１】
本考案は耳垢等を取り、耳を清潔に保つための耳かき具に関する。
【背景技術】
【０００２】
従来の耳かき具は、下記特許文献１に例示するように、棒部の先端部に湾曲した掻取り部を備えたものが一般的である。棒部は竹材又は金属などで構成されていることが多い。
【０００３】
【特許文献１】特開平６−３４３５７２
【考案の開示】
【考案が解決しようとする課題】
【０００４】
上記従来の耳かき具であれば次のような課題がある。
竹材、金属で構成された掻取り部を備える従来の耳かき具は、掻取り部が堅く、また特定の向きにのみしか作用させることしかできないので、耳穴全体を満遍なく掃除をするには不向きであり、耳穴の清掃に時間がかかる課題があった。また、掻取り部が堅いために耳垢等を取るには微妙な操作が必要であり、耳穴内面を傷つけたりすることも多かった。
【０００５】
本考案は上記課題に鑑みてなされたものであり、本考案の目的は上記課題を解決できる耳かき具を提供することにある。
具体的な目的の一例を示すと、以下の通りである。
（ａ）耳穴を傷つけることが少なく、優しく清掃できるようにする。
（ｂ）簡単に耳穴内面を満遍なく掃除をすることができるようにする。
なお、上記に記載した以外の考案の課題や、その解決手段及びその効果は後述する明細書内の記載において詳しく説明する。
【課題を解決するための手段】
【０００６】
本考案は多面的に表現できるが、例えば、代表的なものを挙げると、次のように構成したものである。なお、下記各考案において、各符号は後述する実施形態との対応関係を分かりやすくするために一例として示したものであり、本考案の各構成要素は実施形態に記載した符号に係る構成に限定されない。
第１考案は、指で持つ摘み軸部２と、前記摘み軸部２から立設された棒部３と、前記棒部３の先端に設けられたブラシ部４を含んで構成された耳かき具１であり、
放射形に広がる繊維材６をその周囲に備えた芯線７を加工して前記ブラシ部４を形成してあり、前記ブラシ部４の先端側には前記芯線７を略円形に構成した輪部１０を有していることを特徴とする。
本明細書において輪部１０とは、円や楕円形などの輪形の曲線で構成された部分を言う。
第１考案であれば、輪部を設けることでブラシ部の強度を高めることができる。また、放射形に広がる繊維材によって耳穴内面を満遍なく清掃することができる。しかも、ブラシ部の先端部は輪部によって略円形に形成されているので、耳穴内面に繊維材を強く押し当てても局部的に尖った部分がないので耳穴を傷つけることが少なく、優しく清掃できる。
【０００７】
第２考案は、上記考案において、前記芯線７を略円形に旋回させることによって前記輪部１０を形成したことを特徴とする。
第２考案であれば、芯線を略円形に旋回させることによって輪部を構成するので、先端部が変形しくく、強度の高いブラシ部を安価に製造することができる。
【０００８】
第３考案は、上記各考案において、耳穴内面を掻き取りやすいように前記ブラシ部４又は前記棒部３の部分が、耳かき具１の長手方向１１に対して角度θを成して曲がっていることを特徴とする。
なお、曲げる形態としては、
（１）ブラシ部４の領域内において曲げる構成、
（２）棒部３の領域内において曲げる構成、
（３）ブラシ部４と棒部３の接続部において曲げる構成
などが例示できる。
ブラシ部４と棒部３の接続部において曲げる構成では、直線形の棒部３に対してブラシ部４の固定する状態を平行でなく、耳かき具１の長手方向１１に対して反るように角度θを持たせて曲げることもできる。
第３考案であれば、ブラシ部及び棒部が耳かき具の長手方向に平行な直線である場合に比べて耳穴に挿入した場合に耳垢等を掻き取りやすくなる。
【０００９】
第４考案は、上記各考案において、前記摘み軸部２と係合するキャップ部５を設けるとともに、前記キャップ部５の内部に前記ブラシ部４及び前記棒部３を収容するようにしたことを特徴とする。
摘み軸部２とキャップ部５の係合形態としては嵌合や螺合が例示できる。
第４考案であれば、キャップ部を設けることで、放射形に延びる繊維材で構成された繊細な部材であるブラシ部の変形，破損を防止し、ブラシ部を保護することができる。また、キャップ部を設けることでブラシ部にゴミなどが付着することを防止して、清潔に保つことができる。また、一見して耳かき具とは分からないので、従来の耳かき具とは違う感じを与えるものとすることができる。
【００１０】
第５考案は、上記各考案において、前記キャップ部５を設けた耳かき具１の全体形状を、睫毛を化粧するマスカラ用具に近似した形状にしたことを特徴とする。
マスカラ用具に近似した形状としては略円柱形状などが例示できる。略円柱形状以外にも各種市販されているマスカラ用具の形状を採用できる。
第５考案であれば、マスカラ用具に似せた形状とすることによってお洒落な耳かき具とすることができる。
【００１１】
第６考案は、上記各考案において、外観した場合に棒部３及びブラシ部４が透けて見えるような透明部材又は半透明部材で前記キャップ部５を構成したことを特徴とする。
第６考案であれば、外観した場合に、棒部及びブラシ部が透けて見えるので、例えば、マスカラ用具に似せて構成しても、マスカラ用具と耳かき具とを一見で判別することができ、例えば、化粧バッグにマスカラ用具と耳かき具を入れても両者を間違える不都合はなくなる。
【考案の効果】
【００１２】
以下、本考案の効果であれば、耳穴を傷つけることが少なく、優しく清掃できるとともに、簡単に耳穴内面を満遍なく掃除をすることができる耳かき具を提供できる。
【考案を実施するための最良の形態】
【００１３】
以下、本考案の実施の形態を図面に基づき説明する。
図１に示すように、本実施形態に係る耳かき具１は、指で持って操作するための摘み軸部２と、摘み軸部２から立設された棒部３と、立設された棒部３の先端に設けられたブラシ部４を有している。
また、必要によって、摘み軸部２の周面と嵌合するキャップ部５が設けられる。キャップ部５はブラシ部４と棒部３を収容してそれらを保護する機能を有する。
この実施形態では摘み軸部２は外観が略円柱形に形成されており、同じく略円柱形に形成されたキャップ部５と嵌合することによって全体形状がマスカラ用具のような形状になるように構成してある。
【００１４】
キャップ部５は必要に応じて透明又は半透明にすることができる。
また、マスカラ用具に似せて作られるので、内部が見えない部材でキャップ部５を構成した場合は、キャップ部５又は摘み軸部２の周面に耳かき具であることを示す文字やマーク、又は記号等を設けることが好ましい。
【００１５】
棒部３は、摘み軸部２の円柱の中心域に立設され、耳穴に挿入できる細長い棒材で構成されている。棒部３としては合成樹脂、金属等を用いることができる。
図１及び図２に示すように、ブラシ部４は耳垢などを掻き取る部分であり、このブラシ部４が本実施形態において最も特徴的な構成部分である。ブラシ部４はその全体が耳穴に挿入できる太さに形成されている。
ブラシ部４は、その周囲に放射形に広がる繊維材６を備えた芯線７を用いて構成されている。繊維材６は耳垢等を掻き取るぐらいの剛性があることが必要であり、適度の弾力性があるものが好まれる。繊維材６は合成繊維、合成樹脂等によって構成されることが多い。
【００１６】
通常、芯線７は、図３に示す方法によって製造されることが多い。図３（Ａ）に示すように、２本の基線８を平行に配置するとともに、繊維材６を前記２本の基線８とほぼ直交する方向に配置した状態から２本の基線８を絡めるように捻り回すことで、図３（Ｂ）に示すような繊維材６を芯線７の外周に螺旋形かつ放射形に配置することができる。一般的には、芯線７としては針金のような金属線が用いられることが多いが、必要に応じて他の材料を用いることもできる。
また、芯線７をブラシ部４の先端側において、略円形、略楕円形に旋回させることによって輪部１０を形成している。前記したように、この輪部１０を構成する芯線７には放射形に繊維材６が設けられているので、図２に示すように輪部１０の上下方向及び左右方向にも繊維材６が突出した形になり、耳穴にブラシ部４を挿入した時に、耳穴内面に優しく当接させることができる。
【００１７】
図４（Ａ）〜（Ｃ）はそれぞれ芯線７からブラシ部４を作るための一方法を示す図である。
図４（Ａ）に示すように、外周に放射状に延びる繊維材６を有した芯線７を用意し、図４（Ｂ）に示すように、その芯線７の中央部で旋回させて輪部１０を作り、図４（Ｃ）に示すように、芯線７の両端部を一方側に揃えることによって、平面視において先端部４ａが円形に広く、基端部４ｂが狭い水滴形のブラシ部４を構成する。
なお、図４（Ｂ）（Ｃ）においては芯線７及び輪部１０の形状が分かりやすいように、繊維材６を省略した形態で描いている。
【００１８】
図２に示すように、このブラシ部４の基端部４ｂを棒部３の先端に固定することによって耳かき具の掻取り部を構成する。なお、芯線７を中央部で旋回させる回数は適宜、１回転半、２回転半、……というように選定することができる。
前記した図４（Ｂ）は一回転、旋回させた状態を示しており、本実施形態に係る耳かき具では、最終的には図４（Ｃ）に示すように略一回転半、旋回させた状態で固定されることになる。
【００１９】
このように、少なくとも円形、楕円形の円を構成する輪部１０を有することとで単に一本の芯線７を２つに折り返した構成に比べて、ブラシ部４の強度を向上させることができる。また、輪部１０を設けることで先端部の強度を向上させることができる。
【００２０】
さらに、図５にブラシ部４の側面図で示すように、ブラシ部４を耳かき具１の長手方向１１に角度θを持って固定することもできる。また、図６に示すように棒部３の先端域を湾曲させてブラシ部４を固定して、耳かき具１の長手方向１１に対して角度θを持たせて、耳かき具を操作しやすいようにすることもできる。
但し、ブラシ部４と棒部３が共に耳かき具１の長手方向１１と平行の直線形であっても、実用上十分で、前述した有益な機能を有する。なお、図５及び図６では輪部１０及び芯線７を分かりやすくするために、繊維材６を省略して描いている。
【００２１】
本考案は上記実施形態の構成に限らず、本考案の要旨の範囲内で種々の変形が可能である。
（１）前記実施形態では、繊維材６を周囲に螺旋形かつ放射形に配置した芯線７を使用した構成を示したが、螺旋形でなく、所定の外周角度毎（例えば、９０°毎、１２０°毎）に複数の繊維材６を植えるように設けた芯線７を使用することもできる。また、本考案に採用する芯線７は外周に放射形に繊維材６を配置した構成であれば、その構成、材料、製造方法は限定されない。
【００２２】
（２）前記実施形態では摘み軸部２とブラシ部４を略円柱形に構成したが、断面を略楕円形状の扁平な形状にしたり、断面を正六角形にするなどのデザインに応じた変形を行うことが可能である。
【図面の簡単な説明】
【００２３】
【図１】本実施形態に係る耳かき具の斜視図である。
【図２】ブラシ部周辺の拡大図である。
【図３】（Ａ）（Ｂ）は芯線の製造方法の一例を示す図である。
【図４】（Ａ）〜（Ｃ）は本実施形態に係る輪部を作成する一方法を示す図である。
【図５】本実施形態の変形例を示す側面図である。
【図６】本実施形態の変形例を示す側面図である。
【符号の説明】
【００２４】
１…耳かき具、２…摘み軸部、３…棒部、４…ブラシ部、５…キャップ部、６…繊維材、７…芯線、１０…輪部、１１…耳かき具の長手方向、θ…角度。
【図１】
0003165130.tif 000003
【図２】
0003165130.tif 000004
【図３】
0003165130.tif 000005
【図４】
0003165130.tif 000006
【図５】
0003165130.tif 000007
【図６】
0003165130.tif 000008